(57)【要約】【課題】画像を表示するメインパネルと、キー表示とキーセンスとが重畳したキーパネルとを有する携帯端末であって、メインパネルの広告画像のポインティングがキーパネルのどのキーに割り当てられているかが明確にわかる携帯端末を提供する。【解決手段】コンテンツＣは、埋め込み広告付き動画Ｃ１、広告ＵＲＬデータＣ３、広告キー時刻Ｃ４、広告キーＩＤデータＣ５、広告キー静止画ＩＤデータＣ６、広告キー静止画Ｃ７などにより構成される。埋め込み広告付き動画Ｃ１は、主画像＋広告画像であり、広告画像中には広告アイコンがある。広告キー静止画Ｃ７は、ポインティング広告キー用のアイコンであり、広告アイコンと同じ形状である。このコンテンツＣを受信した携帯端末２００は、埋め込み広告付き動画Ｃ１を復号してそのままメインパネル５に表示する。広告キー静止画Ｃ７を広告キーＩＤデータＣ５の位置に広告キー時刻Ｃ４に合わせて表示する。【選択図】図２
2010186350.tif 000002
【特許請求の範囲】
【請求項１】
主画像とリンク画像を表示するメインパネルと、キー表示部とキー入力部とが重畳したキーパネルとを有する携帯端末であって、
主画像、リンク画像、リンクサイトアドレス、リンクキー割当てデータ、およびリンクキー静止画像を含むコンテンツを受信するコンテンツ受信手段と、
前記リンクキー割当てデータで指定されたリンクキーの座標位置に前記リンクキー静止画像を配置した誘導画像を作成する誘導画像作成手段と、
前記主画像およびリンク画像を前記メインパネルに表示させるメインパネル画像制御手段と、
前記誘導画像を前記キー表示部に表示させるキー画像制御手段と、
前記キー入力部で前記リンクキーが押下されたとき、前記リンクサイトアドレスに接続するブラウザ制御手段と
を具備することを特徴とする携帯端末。
【請求項２】
主画像とリンク画像を表示するメインパネルと、キー表示部とキー入力部とが重畳したキーパネルとを有する携帯端末であって、
主画像、リンク画像、リンクサイトアドレス、リンクキー割当てデータ、リンクキー静止画像、および前記リンク画像の座標位置から前記リンクキーの座標位置方向へ延伸するリンク誘導動画を含むコンテンツを受信するコンテンツ受信手段と、
前記リンクキー割当てデータで指定されたリンクキーの座標位置に前記リンクキー静止画像を配置した誘導画像を作成する誘導画像作成手段と、
前記主画像、リンク画像、およびリンク誘導動画を前記メインパネルに表示させるメインパネル画像制御手段と、
前記誘導画像を前記キー表示部に表示させるキー画像制御手段と、
前記キー入力部で前記リンクキーが押下されたとき、前記リンクサイトアドレスに接続するブラウザ制御手段と
を具備することを特徴とする携帯端末。
【請求項３】
主画像とリンク画像を表示するメインパネルと、キー表示部とキー入力部とが重畳したキーパネルとを有する携帯端末であって、
主画像、リンク画像、リンクサイトアドレス、リンクキー割当てデータ、および前記リンク画像座標位置から前記リンクキーの座標位置へ延伸するリンク誘導動画を含むコンテンツを受信するコンテンツ受信手段と、
前記リンク誘導動画を前記メインパネル表示領域分のメインパネルリンク誘導動画と、
キーパネル領域分のキーパネルリンク誘導動画とに分けて切り出す誘導画像切り出し手段と、
前記主画像、リンク画像、およびメインパネルリンク誘導動画を前記メインパネルに表示させるメインパネル画像制御手段と、
前記キーパネルリンク誘導動画を前記キー表示部に表示させるキー画像制御手段と、
前記キー入力部で前記リンクキーが押下されたとき、前記リンクサイトアドレスに接続するブラウザ制御手段と
を具備することを特徴とする携帯端末。
【請求項４】
主画像とリンク画像を表示するメインパネルと、キー表示部とキー入力部とが重畳したキーパネルとを有する携帯端末であって、
主画像、リンク画像、リンク画像座標位置、およびリンクサイトアドレスを含むコンテンツを受信するコンテンツ受信手段と、
前記受信したコンテンツから前記リンク画像座標位置およびリンクサイトアドレスを検出するリンク検出手段と、
前記リンク画像のポインティング用に前記キーパネルのいずれかのキーをリンクキーとして割り当てるリンクキー割当て手段と、
前記受信した主画像およびリンク画像中から前記リンク画像座標位置の画像をコピーし、これを前記リンクキーのキーパネル上の座標位置に貼り付けた誘導画像を作成する誘導画像作成手段と、
前記受信した主画像およびリンク画像を前記メインパネルに表示させるメインパネル画像制御手段と、
前記誘導画像を前記キー表示部に表示させるキー画像制御手段と、
前記キー入力部で前記リンクキーが押下されたとき、前記リンクサイトアドレスに接続するブラウザ制御手段と
を具備することを特徴とする携帯端末。
【請求項５】
主画像とリンク画像を表示するメインパネルと、キー表示部とキー入力部とが重畳したキーパネルとを有する携帯端末であって、
主画像、リンク画像、リンク画像座標位置、およびリンクサイトアドレスを含むコンテンツを受信するコンテンツ受信手段と、
前記受信したコンテンツから前記リンク画像座標位置およびリンクサイトアドレスを検出するリンク検出手段と、
前記リンク画像のポインティング用に前記キーパネルのいずれかのキーをリンクキーとして割り当てるリンクキー割当て手段と、
予め記憶するアイコン画像を前記リンク画像のメインパネル上の座標位置に合わせてシフトしてメインパネル上の誘導画像として作成し、同じアイコン画像を前記リンクキーのキーパネル上の座標位置に合わせてシフトしてキーパネル上の誘導画像として作成する誘導画像作成手段と、
前記受信した主画像およびリンク画像に前記メインパネル上の誘導画像を合成して前記メインパネルに表示させるメインパネル画像制御手段と、
前記キーパネル上の誘導画像を前記キー画像表示部に表示させるキー画像制御手段と、
前記キー入力部で前記リンクキーが押下されたとき、前記リンクサイトアドレスに接続するブラウザ制御手段と
を具備することを特徴とする携帯端末。
【請求項６】
主画像とリンク画像を表示するメインパネルと、キー表示部とキー入力部とが重畳したキーパネルとを有する携帯端末であって、
主画像、リンク画像、リンク画像座標位置、およびリンクサイトアドレスを含むコンテンツを受信するコンテンツ受信手段と、
前記受信したコンテンツから前記リンク画像座標位置およびリンクサイトアドレスを検出するリンク検出手段と、
前記リンク画像のポインティング用に前記キーパネルのいずれかのキーをリンクキーとして割り当てるリンクキー割当て手段と、
前記リンク画像座標位置と前記リンクキーのキーパネル上の座標位置との間を結び付けるアニメーション動画像を作成し、このアニメーション動画像のメインパネル上に位置する部分をメインパネル上の誘導画像として作成し、前記アニメーション動画像のキーパネル上に位置する部分をキーパネル上の誘導画像として作成する誘導画像作成手段と、
前記受信した主画像およびリンク画像に前記メインパネル上の誘導画像を合成して前記メインパネルに表示させるメインパネル画像制御手段と、
前記キーパネル上の誘導画像を前記キー画像表示部に表示させるキー画像制御手段と、
前記キー入力部で前記リンクキーが押下されたとき、前記リンクサイトアドレスに接続するブラウザ制御手段と
を具備することを特徴とする携帯端末。
【発明の詳細な説明】
【技術分野】
【０００１】
本発明は、メインパネルとキーパネルとを有する携帯端末において、メインパネルに表示されたＵＲＬやアイコン等をキーパネルの操作キーでポインティングする携帯端末に関する。
【背景技術】
【０００２】
Ｗｅｂサイトの表示画像には、埋め込み広告付きの動画などがあり、その広告表示部分をポインティングすることで、広告のＷｅｂサイトへ接続される。携帯電話機のような小型の携帯端末では、ポインティングするためのマウスなどを備えていないので、操作キーでポインティングを行うが、広告表示に対してどの操作キーが割り当てられているかが使用者にとってわかりやすいものである必要がある。
【０００３】
このように、表示部の特定部分を操作部の操作キーでポインティングする情報処理装置がある（例えば、特許文献１参照。）。この特許文献１の図２３、段落［００５４］では、制御部１３は、表示部１２の複数のウィンドウ表示（Ｂ、Ｃ、Ｄ、Ｅ）の位置をチェックして、操作部１１の似た位置のハードキーであるテンキー（２、４、６、８）を割当て、そのキーの照明を点灯している。使用者がテンキー（２、４、６、８）のいずれかを押下すると、該当のウィンドウが開く。
【先行技術文献】
【特許文献】
【０００４】
【特許文献１】特開２００８−２１７１３１号公報（段落００５４、図２３）
【発明の概要】
【発明が解決しようとする課題】
【０００５】
特許文献１の情報処理装置では、使用者は、複数のウィンドウ表示（Ｂ、Ｃ、Ｄ、Ｅ）と複数の点灯したハードキーであるテンキー（２、４、６、８）を上下見比べながら、類似位置の１つのテンキーを判断する必要があり、１対１に明確に割り当てられたものではない。ウィンドウ表示（Ｂ、Ｃ、Ｄ、Ｅ）の位置は任意の位置であり、必ずしもテンキーの配置にぴったりとは一致しないので、使用者が該当のテンキーを判断しにくいという問題がある。
【０００６】
本発明は、画像を表示するメインパネルと、キー表示とキーセンスとが重畳したキーパネルとを有する携帯端末であって、メインパネルの特定部分のポインティングがキーパネルのどの操作キーに割り当てられているかが明確にわかる携帯端末を提供することを目的とする。
【課題を解決するための手段】
【０００７】
上記目的を達成するために、本発明の携帯端末は、主画像とリンク画像を表示するメインパネルと、キー表示部とキー入力部とが重畳したキーパネルとを有する携帯端末であって、主画像、リンク画像、リンクサイトアドレス、リンクキー割当てデータ、およびリンクキー静止画像を含むコンテンツを受信するコンテンツ受信手段と、前記リンクキー割当てデータで指定されたリンクキーの座標位置に前記リンクキー静止画像を配置した誘導画像を作成する誘導画像作成手段と、前記主画像およびリンク画像を前記メインパネルに表示させるメインパネル画像制御手段と、前記誘導画像を前記キー表示部に表示させるキー画像制御手段と、前記キー入力部で前記リンクキーが押下されたとき、前記リンクサイトアドレスに接続するブラウザ制御手段とを具備することを特徴とする。
【発明の効果】
【０００８】
本発明によれば、メインパネルのリンク画像と同じリンクキー画像をキーパネルに表示することができるので、ユーザに分かり易いポインティングの表示を行なうことができる。
【図面の簡単な説明】
【０００９】
【図１】本発明の各実施例に係る携帯端末２００の主面の構成を説明する図。
【図２】本発明の実施例１に係る携帯端末２００の主面の画面表示を説明する図。
【図３】本発明の実施例１に係るコンテンツＣのデータ構成を説明する図。
【図４】本発明の実施例１に係る携帯端末２００のブロック図。
【図５】本発明の実施例２に係る携帯端末２００の主面の画面表示を説明する図。
【図６】本発明の実施例３に係る携帯端末２００の主面の画面表示を説明する図。
【図７】本発明の実施例３に係るコンテンツＣのデータ構成を説明する図。
【図８】本発明の実施例３に係る携帯端末２００のブロック図。
【図９】本発明の実施例４に係る携帯端末２００の主面の画面表示およびコンテンツＣを説明する図。
【図１０】本発明の実施例４に係る携帯端末２００のブロック図。
【図１１】本発明の実施例５に係る携帯端末２００の主面の画面表示およびコンテンツＣを説明する図。
【図１２】本発明の実施例５に係る携帯端末２００のブロック図。
【図１３】本発明の実施例６に係る携帯端末２００の主面の画面表示およびコンテンツＣを説明する図。
【図１４】本発明の実施例６に係る携帯端末２００のブロック図。
【発明を実施するための形態】
【００１０】
図１は、本発明の各実施例の携帯端末２００の主面の構成を説明する図である。表示される画像は、実施例毎に異なり、一例である。主面には、ユーザインターフェースであるメインパネル５とキーパネル１０がある。メインパネル５は、ＬＣＤや有機ＥＬ等による表示専用の表示手段である。キーパネル１０は、キー表示部１０１の上に透過性のキー入力部１０２が重畳した構造であり、任意配置のキー表示とキー入力ができるいわゆるソフトキーである。キー入力部１０２は、Ｘ−Ｙ座標のマトリクス形状であり、座標信号により、どの位置が押下されたかがわかる。
【００１１】
メインパネル５には、主画像と広告画像（広告サイト情報、アイコン、他）が表示される。携帯端末２００は、このメインパネル５上の広告画像を直接ポインティングするためのマウスなどを有していない。したがって、キーパネル１０には、数字キーなどの通常キーと共に、メインパネル５の広告画像をポインティングするための広告キー画像（アイコン、他）が表示される。広告画像の一部（アイコン）と広告キー画像（アイコン）とは形状や色が類似の画像であり、携帯端末２００のユーザは、広告画像をポインティングするための広告キー画像を容易に認識できるものである。
【００１２】
この広告画像や広告キー画像等を作成する実施形態が色々あり、各実施例について、以降説明する。実施例１〜３は、本発明の専用のコンテンツ内の広告キー画像等を携帯端末内で抽出して表示する例である。実施例４〜６は、従来ある既存のコンテンツを基に、携帯端末内で広告キー画像等を新たに作成する例である。
【実施例１】
【００１３】
実施例１は、キーパネル１０に表示する広告キー画像（静止画）を予め含む専用コンテンツを外部に用意し、この専用コンテンツを受信した携帯端末２００内でその広告キー画像を抽出して広告キーとして表示するものである。
【００１４】
図２は、本発明の実施例１に係る携帯端末２００の主面の画面表示を説明する図であり、時間の経過と共に変化していく。この画像等を予め記憶する専用コンテンツと対応付けて、次に説明する。
【００１５】
図３は、本発明の実施例１に係るコンテンツＣのデータ構成を説明する図であり、図３の（Ａ）はコンテンツ全体の構成図、（Ｂ）は、そのコンテンツの画像以外の部分のデータ構成図である。コンテンツＣは、インターネットのサーバや外部メモリから携帯端末２００に供給される。
【００１６】
コンテンツＣは、埋め込み広告付き動画Ｃ１、広告ＵＲＬデータＣ３、広告キー時刻Ｃ４、広告キーＩＤデータＣ５、広告キー静止画ＩＤデータＣ６、広告キー静止画Ｃ７などにより構成される。
【００１７】
埋め込み広告付き動画Ｃ１は、主画像に広告画像（リンク画像）が埋め込まれた動画データであり、図２のメインパネル５にそのまま表示される画像データであり、主画像、広告画像共に時間と共に変化する。広告画像１、広告画像２などは、広告サイト名や広告サイトＵＲＬ表示など、ユーザが広告サイトと認識できる表示であり、さらにアイコンも埋め込まれている。これらの広告画像は、表示されない時間帯もあれば、1乃至複数が同時に表示される時間帯もある。広告ＵＲＬデータＣ３は、各広告画像の「ｈｔｔｐ：／／−−」などの広告サイトアドレス情報（リンクサイトアドレス）である。
【００１８】
広告キー時刻Ｃ４は、メインパネル５に埋め込み広告付き動画Ｃ１を再生開始後のどの時間帯で広告画像の表示が行われるかを示すデータであり、例えば、広告番号１については、再生開始を起点として「１０秒後〜３０秒後」の間、広告番号１の広告が表示されることを表す。この広告キー時刻Ｃ４の目的は、メインパネル５の広告画像の表示に同期して、キーパネル１０に広告キー画像Ｃ７を表示させるためである。
【００１９】
本発明の実施例１の特徴とするデータは、広告キーＩＤデータＣ５（リンクキー割当てデータ）、広告キー静止画ＩＤデータＣ６、広告キー静止画Ｃ７（リンクキー静止画）である。広告キーＩＤデータＣ５は、広告をポインティングするためのキーパネルのキー（リンクキー）を指定するデータであり、広告番号１については、キーパネルの数字キー「１」を指定し、広告番号２については、キーパネルの数字キー「２」を指定するものである。どのキーを割り当てるかは、特に関連性はなく、例えば、キーパネルの数字キー「９」を割り当ててもよいし、キーパネルのファンクションキー（不図示）などを割り当ててもよい。
【００２０】
広告キー静止画ＩＤデータＣ６は、割り当てたキーパネルのキー表示部分に表示する広告キー静止画Ｃ７のＩＤデータであり、参考に図の欄外に該当の広告キー静止画Ｃ７のアイコン画像を示す。
【００２１】
広告キー静止画Ｃ７は、複数種類の広告キー静止画を有し、それぞれが、埋め込み広告付き動画Ｃ１内の広告画像と類似または同等の画像が記録されている。広告が複数ある場合は、それぞれの広告画像に対して、区別可能な画像が割り当てられる。すなわち、図２の広告画像１内のアイコンと広告キー画像１とは同じ人形マークであり、広告画像２内のアイコンと広告キー画像２とは同じ星マークである。
【００２２】
携帯端末２００は、上記のコンテンツＣを受信すると、埋め込み広告付き動画Ｃ１（＝主画像＋広告画像）を復号してそのままメインパネル５に表示する。キーパネル１０には、広告キー静止画Ｃ７を、広告キーＩＤデータＣ５で指定されたキーの座標位置に広告キー時刻Ｃ４に合わせて表示することにより、図２のように順次表示される。したがって、携帯端末のユーザが簡単にポインティングのためのキーを認識することができる。  
キーパネル１０の数字キーなどの通常キー表示は、携帯端末が元々備える表示データである。
【００２３】
次に、上記処理を行う携帯端末２００の詳細な構成について説明する。  
図４は、本発明の実施例１に係る携帯端末２００のブロック図である。携帯端末２００は、アンテナ１、通信部２、コンテンツ受信部３、メインパネル画像制御部４、メインパネル５、キー割当てテーブル読込部６、キー割当てテーブル格納部７、キー割当て制御部８（誘導画像作成手段）、キー画像制御部９、キーパネル１０、押下キー検出部１１、ブラウザ制御部１２などから構成される。
【００２４】
携帯端末２００のユーザインターフェース部分は、メインパネル５とキーパネル１０である。メインパネル５は、ＬＣＤや有機ＥＬ等による表示専用の表示手段である。キーパネル１０は、キー表示部１０１の上に透過性のキー入力部１０２が重畳した構造であり、任意配置のキー表示とキー入力ができるいわゆるソフトキーである。キー入力部１０２は、マトリクス形状であり、座標信号１０２ａにより、どの位置が押下されたかがわかる。
【００２５】
アンテナ１は、通信網の基地局（不図示）との間で、無線信号の送信受信を行う。通信部２は、変調復調処理等を行う。この例では、コンテンツＣ（図３）は、インターネット上のサーバに保管されており、コンテンツ受信部３は、アンテナ１、通信部２を経て、コンテンツＣ全体を受信し、コンテンツデータ３ａとして出力する。そして、その内の埋め込み広告付き動画Ｃ１（＝主画像＋広告画像）をメインパネル画像制御部４へ送る。
【００２６】
なお、コンテンツＣは、外部メモリであるＣＤやＨＤＤ、フラッシュメモリ等に保管されていてもよく、携帯端末２００は、外部メモリ接続部（不図示）経由でコンテンツＣを受信してもよい。
【００２７】
メインパネル画像制御部４は、動画再生部４１で埋め込み広告付き動画Ｃ１（＝主画像＋広告画像）の復号および再生処理を行い、画像４１ａをメインパネル５に表示する。また、再生開始を起点とする再生時刻通知信号４１ｂをキー割当て制御部８へ送る。メインパネル画像制御部４としては、埋め込み広告付き動画Ｃ１（＝主画像＋広告画像）をそのまま再生するだけであり、主画像であるか広告画像であるか、広告画像の座標位置、広告画像の広告時刻なども認識する必要はない。
【００２８】
キー割当てテーブル読込部６は、コンテンツデータ３ａ（コンテンツＣ）の内、広告ＵＲＬデータＣ３、広告キー時刻Ｃ４、広告キーＩＤデータＣ５、広告キー静止画ＩＤデータＣ６、広告キー静止画Ｃ７を読み込んで、キー割当てテーブル格納部７に記憶する。これらのコンテンツは、埋め込み広告付き動画Ｃ１より先に受信してキー割当てテーブル格納部７に記憶して準備する。
【００２９】
キー割当て制御部８（誘導画像作成手段）は、動画再生部４１からの再生時刻通知信号４１ｂに基づいてキー割当てテーブル格納部７の広告キー時刻Ｃ４のチェックを行う。  
「１０秒後〜３０秒後」の間：
再生時刻通知信号４１ａが「１０秒後〜３０秒後」の間は、広告番号１がその時刻に該当することを認識する。そして、広告番号１の広告ＵＲＬデータＣ３の値「ｈｔｔｐ：／／−−」である広告ＵＲＬデータ８ａと、広告番号１の広告キーＩＤデータＣ５の値「数字キー１」の広告キー座標位置信号８ｂをペアで押下キー検出部１１へ送出する。キー割当て制御部８は、通常キー画像記憶部９１から複数の通常キー座標位置信号９１ｂを読み取ることができるので、その内の「数字キー１」の座標を認識できる。
【００３０】
さらに、キー割当て制御部８は、広告番号１の広告キー静止画ＩＤデータＣ６の値「広告キー画像１のＩＤ」と、これに対応する広告キー静止画Ｃ７（この例では人形マークのアイコン）を読み取って、広告番号１の広告キー画像ＩＤデータＣ５の値「数字キー１」の座標位置にシフトした広告キー画像８ｃを作成し、キー画像制御部９のキー画像合成部９２へ送出する。
【００３１】
なお、「数字キー１」の座標位置は、携帯端末２００の機種毎に異なるが、機種毎に「数字キー１」の座標位置を認識できるので問題ない。また、コンテンツＣ内で「数字キー１」が割り当てられていても、携帯端末２００内で、任意に割当てキーを変更してもよい。
【００３２】
キー画像制御部９の通常キー画像記憶部９１は、複数の数字キー等の通常キーの画像９１ａとそれぞれの通常キー座標９１ｂを予め記憶しており、通常キー画像９１ａをキー画像合成部９２へ送出し、通常キー座標９１ｂを押下キー検出部１１へ送出する。
【００３３】
キー画像合成部９２は、通常キー画像記憶部９１からの通常キー画像９１ａに、広告キー画像８ｃ（この例では広告キー静止画Ｃ７の内の人形マークのアイコン）を合成して、キーパネル１０のキー表示部１０１に表示する。なお、この合成は、単純な合成であってもよいし、通常キー画像に広告キー画像を上書きする合成であってもよい。
【００３４】
「２０秒後〜４０秒後」の間：
再生時刻通知信号４１ａが、「２０秒後〜４０秒後」の間は、広告番号２が該当し、同様の処理により、広告番号２の広告ＵＲＬデータＣ３の値「ｈｔｔｐ：／／−−」と、広告番号２の広告キー画像ＩＤデータＣ５の値「数字キー２」の広告キー座標８ｂをペアで押下キー検出部１１へ送出する。また、広告キー画像８ｃ（この例では星マークのアイコン）が「数字キー２」の座標位置に合成されて、キーパネル１０のキー表示部１０１に表示される。
【００３５】
複数の広告が重なる２０秒後〜３０秒後の間は、広告番号１と広告番号２の表示が同時に行なわれる。キー割当て制御部８が出力する広告ＵＲＬデータ８ａ、広告キー座標８ｂ、広告キー画像８ｃは、ペアの信号であり、広告の数に応じてペアの数も増える。
【００３６】
以上の処理により、図２に示したように、再生開始後、０秒後〜１０秒後の間は、メインパネル５には主画像のみ、キーパネル１０には通常キーのみの表示が行なわれる。１０秒後〜２０秒後の間は、メインパネル５には主画像と広告画像１、キーパネル１０には通常キーと広告キー画像１が表示され、広告画像１と広告キー画像１の表示の同期が取れている。
【００３７】
２０秒後〜３０秒後の間は、メインパネル５には主画像と広告画像１と広告画像２、キーパネル１０には通常キーと広告キー画像１と広告キー画像２が表示され、広告画像１と広告キー画像１の表示の同期、および広告画像２と広告キー画像２の表示の同期が取れている。３０秒後〜４０秒後の間は、メインパネル５には主画像と広告画像２、キーパネル１０には通常キーと広告キー画像２が表示され、広告画像２と広告キー画像２の表示の同期が取れている。
【００３８】
ユーザは、メインパネル５の広告画像とキーパネル１０の広告キー画像とが形状や色が同じなので、どのキーでポインティングすればよいかが直感的に簡単に理解できる。ユーザが、いずれかの広告キー画像のキーを押下すると、キーパネル１０のキー入力部１０２から押下位置の座標信号１０２ａが押下キー検出部１１へ送出される。
【００３９】
押下キー検出部１１は、この座標信号１０２ａと広告キー座標８ｂとを比較し、一致したら広告キーが押下されたと判断して、ペアの広告ＵＲＬ８ａを広告ＵＲＬ１１ａとしてブラウザ制御部１２へ送出する。  
ブラウザ制御部１２は、広告ＵＲＬ１１ａの広告サイトアドレスへの接続処理を通信部２を経由して行う。
【００４０】
上記説明したように携帯端末２００はコンテンツＣを受信するが、コンテンツＣ内の各コンテンツの受信順序としては、コンテンツＣ３〜Ｃ７を最初に受信して、キー割当てテーブル格納部７に記憶して準備し、その後、コンテンツＣ１を受信して再生しつつ、キー割当てテーブル格納部７を参照して処理することが望ましい。携帯端末２００は、比較的大きな容量のコンテンツＣ１を格納する必要がないからである。
【００４１】
実施例１によれば、広告画像をポインティングするための広告キー画像が予め備わる専用コンテンツを用意するので、携帯端末２００内で、その広告キー画像を抽出する簡単な構成で、ユーザに分かり易い広告キー表示を行なうことができる。
【実施例２】
【００４２】
実施例２は、静止画の広告キー画像Ｃ７と、さらに、埋め込み広告付き動画Ｃ１の中に、メインパネル５の広告画像位置からキーパネル１０の広告キーの方向へと矢印動画などが徐々に延伸していく動画像（広告誘導動画）が予め備わる専用コンテンツを用意するものである。実施例１とはコンテンツの違いだけであり、携帯端末２００内の構成と処理は同じであり、実施例１の図４と同じブロック図の構成で実現することができる。
【００４３】
図５は、本発明の実施例２に係る携帯端末２００の主面の画面表示を説明する図であり、時間の経過と共に変化していく。時間の経過につれて、メインパネル５の広告画像位置からキーパネル１０の広告キーの方向へと矢印の誘導動画が徐々に、例えば１秒単位で延伸していく。
【００４４】
メインパネル５の表示再生開始後、０秒後〜１５秒後の間は、メインパネル５には主画像のみ、キーパネル１０には通常キーのみの表示が行なわれる。  
１５秒後〜３０秒後の間は、メインパネル５には主画像、広告画像１（広告サイト名など）、誘導動画（検索矢印）が表示され、誘導動画（検索矢印）の矢印部分が徐々に、例えば１秒単位で、数字キー１の方向へと延伸していく。
【００４５】
１５秒後〜２０秒後の間は、キーパネル１０には通常キーのみの表示が行なわれる。  
２０秒後〜３０秒後の間は、キーパネル１０にはこの時点で「数字キー１」の座標位置に広告キー画像１（検索と矢印の一緒になった静止画アイコン）が表示される。  
ユーザは、この広告画像から広告キーへと誘導する矢印動画等により、さらにわかり易く広告キーを認識することができる。
【００４６】
この表示された画像等を予め記憶する専用コンテンツについて、次に説明する。このコンテンツＣのデータ構成は、図３と同様である。ただし、埋め込み広告付き動画Ｃ１は、主画像に、広告画像１（広告サイト名など）と、さらに誘導動画（検索矢印）が埋め込まれた動画データであり、それがそのままメインパネル５に表示される。
【００４７】
また、広告キー時刻Ｃ４は、メインパネル５に広告画像１が表示される時刻ではなく、キーパネル１０に広告キー画像Ｃ７（検索と矢印の一緒になった静止画アイコン）が表示される時刻であり、「２０秒後〜３０秒後」である。広告キー画像Ｃ７（検索と矢印の一緒になった静止画アイコン）は、図２、図３で説明した人形アイコンや星アイコンと同じ扱いであり、静止画である。
【００４８】
携帯端末２００は、広告キー画像Ｃ７（検索と矢印の一緒になった静止画アイコン）を広告キー時刻Ｃ４の「２０秒後〜３０秒後」の時間帯に、キーパネル１０に表示するように制御する。したがって、この実施例２関しては、図４のブロック図と同じ構成で実現することができる。
【００４９】
なお、メインパネル５に表示される誘導動画（検索矢印）に対しては、携帯端末２００内では編集することは行わないので、予めわかっている「数字キー１」の座標位置の方向に正しく延伸する必要があり、携帯端末２００のある機種に対して純正の誘導動画であることが望ましい。
【００５０】
実施例２によれば、実施例１の効果に加えて、矢印などの誘導動画により、さらにユーザにわかり易い広告キー表示を行なうことができる。
【実施例３】
【００５１】
実施例３は、メインパネル５に表示する矢印動画などと共に、キーパネル１０に表示する広告キー画像も動画として予め専用のコンテンツＣに備えるものである。
【００５２】
図６は、本発明の実施例３に係る携帯端末２００の主面の画面表示を説明する図であり、時間の経過と共に変化していく。この画像等を予め記憶する専用コンテンツと対応付けて、次に説明する。
【００５３】
図７は、本発明の実施例３に係るコンテンツＣのデータ構成を説明する図であり、図７の（Ａ）はコンテンツ全体の構成図、（Ｂ）は、そのコンテンツの画像以外の部分のデータ構成図である。コンテンツＣは、インターネットのサーバや外部メモリから携帯端末２００に供給される。
【００５４】
コンテンツＣは、埋め込み広告付き動画Ｃ１、広告ＵＲＬデータＣ３、広告キー時刻Ｃ４、広告キーＩＤデータＣ５などにより構成される。  
埋め込み広告付き動画Ｃ１は、主画像に広告画像と誘導画像が埋め込まれた動画データであり、図６のメインパネル５とキーパネル１０を合わせた表示領域を対象とする画像データであり、主画像、広告画像、誘導画像共に時間と共に変化する。なお、この例では広告は広告１の１種類のみで示すが、複数個の同時表示であってもよい。また、主画像は、キーパネル１０の領域まで入っているが、メインパネル５の領域のみでもよい。誘導画像がメインパネル５とキーパネル１０を合わせた表示領域にあればよい。
【００５５】
埋め込み広告付き動画Ｃ１中の広告画像１は、広告サイト名や広告サイトＵＲＬ表示など、ユーザが広告サイトと認識できる表示である。メインパネル５側に表示される検索マークとキーパネル１０側に表示される検索マークと、その両者を繋ぐ矢印マークは、一体となった誘導画像であり、図６に示すように、矢印の先端と先端に繋がる検索マークとが、時間の経過と共に、割当てられる検索キー（広告キー）である「数字キー２」に向かって延伸していく動画である。
【００５６】
広告ＵＲＬデータＣ３は、各広告画像の「ｈｔｔｐ：／／−−」などの広告サイトアドレス情報である。広告キー時刻Ｃ４は、埋め込み広告付き動画Ｃ１中の誘導画像の先端が、広告キーＩＤデータＣ５で指定されたキー、この例では、「数字キー２」の座標位置に延伸して到着した時刻以降を表し、この時刻「２０秒後〜３０秒後」の間、当該キーのポインティングとしての機能が有効となるものである。
【００５７】
携帯端末２００は、上記のコンテンツＣを受信すると、埋め込み広告付き動画Ｃ１（＝主画像＋広告画像＋誘導画像）を復号した後、メインパネル５に表示するメインパネル画像と、キーパネル１０に表示するキーパネル画像とに単純に分割して切り出す。そして、メインパネル画像をメインパネル５に表示する。切り出したキーパネル画像は、数字キー等の通常キー表示と合成して、キー表示部１０１に表示する。  
そして、広告キー時刻Ｃ４「２０秒後〜３０秒後」の間、「数字キー２」の座標位置に表示された誘導画像の先端の検索マークが押下されると、ポインティングの処理が行われる。
【００５８】
次に、上記処理を行う携帯端末２００の詳細な構成について説明する。  
図８は、本発明の実施例３に係る携帯端末２００のブロック図である。実施例１の図４との相違点は、メインパネル画像制御部４に動画切出し部４２を設けて、受信した埋め込み広告付き動画Ｃ１をメインパネル画像４２ａとキーパネル画像４２ｂとに単純に分割して切り出す部分を設けた。この切り出したキーパネル画像４２ｂをキー画像合成部９２の一方の入力に導いて、キー表示部１０１に表示するようにしている。また、キー割当てテーブル格納部７の出力から、広告キー静止画７ｃがなくなっている。
【００５９】
以下、相違点を主に説明する。  
動画切出し部４２は、動画再生部４１で復号された画像の切り出しなので、簡単な構成で実現することができる。
【００６０】
キー割当て制御部８（誘導画像作成手段）は、動画再生部４１からの再生時刻通知信号４１ｂに基づいて、キー割当てテーブル格納部７の広告キー時刻Ｃ４「２０秒後〜３０秒後」のチェックを行う。  
「０秒後〜２０秒後」の間：
キー割当て制御部８は、再生時刻通知信号４１ｂが「０秒後〜２０秒後」の間は、広告キー時刻７ｄ（Ｃ４）「２０秒後〜３０秒後」に該当しないので何も行わない。メインパネル５には、誘導画像が既に延伸中であるが、まだどのキーにポインティングが割当てられているかは、ユーザにはわかりにくい状態である。
【００６１】
「２０秒後〜３０秒後」の間：
キー割当て制御部８は、再生時刻通知信号４１ｂが「２０秒後〜３０秒後」の間は、広告キー時刻７ｄ（Ｃ４）「２０秒後〜３０秒後」の広告１が該当することを認識する。そして、広告番号１の広告ＵＲＬデータＣ３の値「ｈｔｔｐ：／／−−」である広告ＵＲＬデータ８ａと、広告番号１の広告キーＩＤデータＣ５の値「数字キー２」の広告キー座標位置信号８ｂをペアで押下キー検出部１１へ送出する。
【００６２】
以上の処理により、図６に示したように、メインパネル５からキーパネル１０の「数字キー２」に向けて徐々に延伸する誘導画像が表示され、誘導画像の先端が「数字キー２」に到達した時点以降で、「数字キー２」がポインティングとしての機能が有効になる。
【００６３】
実施例３によれば、メインパネル５とキーパネル１０を含めた全体エリアに表示するための動画が予め備わる専用コンテンツを用意し、これを受信した携帯端末内で、メインパネル５とキーパネル１０に分けて切り出す簡単な構成で、矢印などの誘導動画により、ユーザに分かり易い広告キー表示を行なうことができる。
【００６４】
次の実施例４〜６は、広告キー画像や誘導画像を含まない既存コンテンツを利用する例であり、携帯端末内で新たに広告キー画像などを作成するものである。
【実施例４】
【００６５】
実施例４は、既存コンテンツ中の広告画像そのものを携帯端末内で抽出コピー＆貼り付けして広告キー画像とするものである。
【００６６】
図９は、本発明の実施例４に係る携帯端末２００の主面の画面表示およびコンテンツＣを説明する図である。図９の（Ａ）は主面の画面表示、（Ｂ）はコンテンツＣ全体、（Ｃ）はそのコンテンツＣの画像以外の部分のデータ構成図である。コンテンツＣは、インターネットのサーバや外部メモリから携帯端末２００に供給される。
【００６７】
コンテンツＣは、埋め込み広告付き動画Ｃ１、広告画像座標位置Ｃ２、広告ＵＲＬデータＣ３により構成される。埋め込み広告付き動画Ｃ１は、主画像に広告画像が埋め込まれた動画データであり、図９（Ａ）のメインパネル５にそのまま表示される画像データであり、主画像、広告画像共に時間と共に変化し、広告画像は表示されない時間帯もある。広告画像は、広告サイト名や広告サイトＵＲＬ表示など、ユーザが広告サイトと認識できる表示であり、文字でも絵でもよい。
【００６８】
広告画像座標位置Ｃ２は、広告画像のメインパネル５画面内の座標位置データ（例えば、Ｘ１：Ｙ１）であり、広告画像１の領域全体を表す面情報である。広告ＵＲＬデータＣ３は、広告画像の「ｈｔｔｐ：／／−−」などの広告サイトアドレス情報である。
【００６９】
この埋め込み広告付き動画Ｃ１、広告画像座標位置Ｃ２、広告ＵＲＬデータＣ３により構成されるコンテンツＣは、従来利用されており、例えば、パーソナルコンピュータにおいて、表示画面に埋め込み広告付き動画が表示された状態で、広告画像を直接にマウスなどでクリックすると、その広告画像座標位置と認識されて、該当の広告ＵＲＬに接続されることは良く知られている。
【００７０】
この従来例では、広告画像がいつ表示されるかの時刻データは、コンテンツＣ内には不要であり、広告画像座標位置Ｃ２と広告ＵＲＬデータＣ３と埋め込み広告付き動画Ｃ１とがリアルタイムで同期して伝送されていればよい。したがって、埋め込み広告付き動画Ｃ１中の広告画像を直接認識するのではなく、広告画像座標位置Ｃ２や広告ＵＲＬデータＣ３を直接検出することにより、広告画像が表示されていることを認識することができ、パーソナルコンピュータにおいて広告画像をマウスなどでクリックする処理ができるものである。
【００７１】
本発明の実施例４では、コンテンツＣ中の広告画像座標位置Ｃ２や広告ＵＲＬデータＣ３を直接検出した時、埋め込み広告付き動画Ｃ１中の広告画像座標位置Ｃ２の画像、すなわち広告画像をコピーし、それを広告キー画像として、任意の１乃至複数のキーに割当てて、そのキーの座標位置に、前記コピー画像を貼り付けることを特徴とする。
【００７２】
次に、上記処理を行う携帯端末２００の詳細な構成について説明する。  
図１０は、本発明の実施例４に係る携帯端末２００のブロック図である。実施例１の図４と同じ機能には同じ番号を付し、他の相違点を主に説明する。相違点は、メインパネル画像制御部１４、広告検出部１６、広告キー割当て部１７、誘導画像作成部１８などである。
【００７３】
メインパネル画像制御部１４は、動画再生部１４１を有して、その再生出力である画像１４１ａをメインパネル５へ供給するところは同じであるが、誘導画像作成部１８へも供給して、広告画像のコピー＆ペースト用に使用する。
【００７４】
広告検出部１６は、コンテンツ受信部３出力のコンテンツデータ３ａ中の広告画像座標位置Ｃ２や広告ＵＲＬデータＣ３の有無を常時リアルタイムでチェックし、検出した情報を検出１６ａとして広告キー割当て部１７へ送出する。検出１６ａは、広告画像座標位置Ｃ２や広告ＵＲＬデータＣ３が有りの状態では、常にオンとなり、それらが無しの状態では、常にオフとなるリアルタイムの情報である。
【００７５】
広告キー割当て部１７は、検出１６ａがオン状態のときには、広告画像座標１７ｃ（広告画像座標位置Ｃ２）を広告画像抽出部１８１へ送出する。また、広告キー割当て部１７は、検出した広告画像に対して、複数の数字キーなどの中から任意のキーをポインティングキーとして割当てる。１個の広告画像座標位置Ｃ２のエリアが広い場合には、例えば、図９の（Ａ）のように、広告画像１に対して、「数字キー１」と「数字キー２」をまとめて割当てる。そして、キーパネル１０上の「数字キー１」と「数字キー２」をまとめた領域を広告キー座標１７ｂとし、検出した広告ＵＲＬ１７ａ（広告ＵＲＬデータＣ３）とペアで押下キー検出部１１へ送出する。
【００７６】
広告画像抽出部１８１は、画像１４１ａと広告画像座標１７ｃ（広告画像座標位置Ｃ２）入力により、画像１４１ａ中の広告画像座標１７ｃ（広告画像座標位置Ｃ２）の位置の画像を抽出し、これが広告画像に該当する。これを広告画像１８１ａとして、広告キー画像作成部１８２へ送出する。画像１４１ａと広告画像座標１７ｃとは、多少のタイムラグがあるが、ユーザ操作用の時間に比べれば問題ない。
【００７７】
広告キー画像作成部１８２は、広告画像１８１ａを広告キー座標１７ｂの位置にシフトした広告キー画像１８２ａを作成して、キー画像合成部９２へ送出する。
【００７８】
以上の処理により、図９の（Ａ）に示すように、広告画像１がメインパネル５に表示されている間、それと同じ広告キー画像１がキーパネル１０に割当てられて表示される。使用者が広告キー画像１を押下すると、押下キー検出部１１がそれを検出して広告ＵＲＬ１１ａ（広告ＵＲＬデータＣ３）をブラウザ制御部１２へ送出し、所定の広告ＵＲＬに接続される。
【００７９】
実施例４によれば、既存のコンテンツＣ（＝埋め込み広告付き動画Ｃ１＋広告画像座標位置Ｃ２＋広告ＵＲＬデータＣ３）を利用することができ、任意のキーに広告画像と同じ広告キー画像を配したポインティングキーとして表示するので、ユーザに分かり易い広告キー表示を行なうことができる。
【実施例５】
【００８０】
実施例５は、携帯端末内にアイコンを備えておき、そのアイコンをメインパネルの広告画像座標位置とキーパネルの割当てた広告キー座標位置に合わせて、同じアイコン画像として表示するものである。
【００８１】
図１１は、本発明の実施例５に係る携帯端末２００の主面の画面表示およびコンテンツＣを説明する図である。図１１の（Ａ）は主面の画面表示、（Ｂ）はコンテンツＣ全体、（Ｃ）はそのコンテンツＣの画像以外の部分のデータ構成図である。コンテンツＣは、図９と同じであり、説明を省略する。
【００８２】
メインパネル５の広告画像１部分に表示されている広告アイコン１と、キーパネル１０の「数字キー１」部分に表示されている広告キーアイコン１は、予め、携帯端末内に備わる同じアイコンである。
【００８３】
次に、上記処理を行う携帯端末２００の詳細な構成について説明する。  
図１２は、本発明の実施例５に係る携帯端末２００のブロック図である。実施例４の図１０との相違点を主に説明する。相違点は、メインパネル画像制御部１４、誘導画像作成部１８などである。
【００８４】
メインパネル画像制御部１４は、動画再生部１４１とメインパネル画像合成部１４２を有する。メインパネル画像合成部１４２は、動画再生部１４１の再生出力と、後述の広告画像作成部１８４の広告アイコン１８４ａとを合成して、メインパネル５に表示する。
【００８５】
誘導画像作成部１８は、アイコン記憶部１８３と広告画像作成部１８４と広告キー画像作成部１８５を有する。アイコン記憶部１８３は、図１１の（Ａ）の広告アイコン１（＝広告キーアイコン１）の基になるアイコンを予め記憶している。
【００８６】
広告画像作成部１８４は、アイコン記憶部１８３の基のアイコンを、広告キー割当て部１７の広告画像座標１７ｃ（広告画像座標位置Ｃ２）に合わせてシフトして、広告アイコン１８４ａを作成して、メインパネル画像合成部１４２へ送出する。
【００８７】
広告キー画像作成部１８５は、アイコン記憶部１８３の基の同じアイコンを、広告キー割当て部１７の広告キー座標１７ｂに合わせてシフトして、広告キーアイコン１８５ａを作成して、キー画像合成部９２へ送出する。
【００８８】
以上の処理により、図１１の（Ａ）に示すように、広告画像１がメインパネル５に表示されている間、広告画像１部分に広告アイコン１が表示され、「数字キー１」部分に同じ広告キーアイコン１が表示される。
【００８９】
実施例５によれば、既存のコンテンツＣ（＝埋め込み広告付き動画Ｃ１＋広告画像座標位置Ｃ２＋広告ＵＲＬデータＣ３）を利用することができ、メインパネル５の広告画像部分とキーパネル１０の割当てたキー部分とに同じアイコン表示を行うので、ユーザに分かり易い広告キー表示を行なうことができる。
【実施例６】
【００９０】
実施例６は、携帯端末内において、メインパネルの広告画像座標位置からキーパネルの割当てた広告キー座標位置へと延伸する誘導アニメ動画を作成するものである。
【００９１】
図１３は、本発明の実施例６に係る携帯端末２００の主面の画面表示およびコンテンツＣを説明する図である。図１３の（Ａ）は主面の画面表示、（Ｂ）はコンテンツＣ全体、（Ｃ）はそのコンテンツＣの画像以外の部分のデータ構成図である。コンテンツＣは、図９と同じであり、説明を省略する。
【００９２】
メインパネル５の検索マーク、キーパネル１０の検索マーク、および両者を繋ぐ矢印部分は、一体の誘導アニメであり、実施例３の図６と同様に、矢印の先端が時間の経過と共に、割当てた「数字キー２」へと延伸していく動画である。実施例３では、予めコンテンツＣ内にその誘導アニメを備えていたが、実施例６では、この誘導アニメを携帯端末２００内で独自に作成する。
【００９３】
次に、上記処理を行う携帯端末２００の詳細な構成について説明する。  
図１４は、本発明の実施例６に係る携帯端末２００のブロック図である。実施例５の図１２との相違点を主に説明する。相違点は、誘導画像作成部１８などである。
【００９４】
誘導画像作成部１８は、誘導アニメ作成部１８６を有する。誘導アニメ作成部１８６は、メインパネル５とキーパネル１０を合わせた表示領域を対象として、誘導アニメ動画を作成する。誘導アニメの始点は、広告キー割当て部１７からの広告画像座標１７ｃ（広告画像座標位置Ｃ２）の位置であり、そこに検索マーク（メインパネル５用）を配する。そして、その検索マーク（メインパネル５用）から、矢印および検索マーク（キーパネル１０用）が広告キー座標１７ｂを最終目標位置として延伸していく誘導アニメ動画を作成する。
【００９５】
その誘導アニメ動画をメインパネル５とキーパネル１０用に分割切り分けて、メインパネル５用に広告アニメ１８６ａ、キーパネル１０用に広告キーアニメ１８６ｂを供給する。そして、広告キー座標１７ｂに到達したら、ポインティングキーが有効になったことを示す誘導完了１８６ｃを押下キー検出部１１へ送出する。
【００９６】
押下キー検出部１１は、検索マーク（キーパネル１０用）部分、すなわち、広告キー座標１７ｂ（この例では、数字キー２）部分が押下され、かつ、誘導完了１８６ｃがアクティブであれば、広告キーが押下されたとして、広告ＵＲＬ１１ａ（広告ＵＲＬデータＣ３）をブラウザ制御部１２へ送出し、所定の広告ＵＲＬに接続される。
【００９７】
実施例６によれば、既存のコンテンツＣ（＝埋め込み広告付き動画Ｃ１＋広告画像座標位置Ｃ２＋広告ＵＲＬデータＣ３）を利用することができ、メインパネル５の広告画像１部分からキーパネル１０の割当てたキー部分へと徐々に延伸する誘導アニメ動画表示を行うので、ユーザに分かり易い広告キー表示を行なうことができる。
【００９８】
なお、各実施例において、広告の数は、複数が同時進行する場合にも適用できる。また、各実施例において、広告の場合について説明したが、Ｗｅｂサイトにリンクするものであれば、何でもよい。また、各実施例において、数字キーなどの通常キーの座標位置に広告キーを割り当てたが、キーパネル１０に空きスペースがあれば、その空きスペースに広告キーを割り当ててもよい。そうすれば、通常キーと広告キーとが独立して使用できる。
【００９９】
また、実施例４〜６において、コンテンツＣは、さらに、広告キー時刻Ｃ４を含んでもよい。そして、動画再生部１４１から広告検出部１６へ再生時刻通知を送り、広告検出部１６が再生時刻通知と広告キー時刻Ｃ４とを比較して、広告表示の開始・終了を検出して、広告キー表示等を制御するようにしてもよい。
【符号の説明】
【０１００】
１  アンテナ
２  通信部
３  コンテンツ受信部
４  メインパネル画像制御部
４１  動画再生部
４２  動画切出し部
５  メインパネル
６  キー割当てテーブル読込部
７  キー割当てテーブル格納部
８  キー割当て制御部（誘導画像作成手段）
９  キー画像制御部
９１  通常キー画像記憶部
９２  キー画像合成部
１０  キーパネル
１０１  キー表示部
１０２  キー入力部
１１  押下キー検出部
１２  ブラウザ制御部
１４  メインパネル画像制御部
１４１  動画再生部
１４２  メインパネル画像合成部
１６  広告検出部
１７  広告キー割当て部
１８  誘導画像作成部
１８１  広告画像抽出部
１８２  広告キー画像作成部
１８３  アイコン記憶部
１８４  広告画像作成部
１８５  広告キー画像作成部
１８６  誘導アニメ作成部
２００  携帯端末
【図１】
2010186350.tif 000003
【図２】
2010186350.tif 000004
【図３】
2010186350.tif 000005
【図４】
2010186350.tif 000006
【図５】
2010186350.tif 000007
【図６】
2010186350.tif 000008
【図７】
2010186350.tif 000009
【図８】
2010186350.tif 000010
【図９】
2010186350.tif 000011
【図１０】
2010186350.tif 000012
【図１１】
2010186350.tif 000013
【図１２】
2010186350.tif 000014
【図１３】
2010186350.tif 000015
【図１４】
2010186350.tif 000016